(57)【特許請求の範囲】
【請求項１】
縦方向とこれに直交する幅方向とを有し、吸収層を具備する吸収性物品であって、
前記縦方向に沿って、着用者の排泄部と対向する受液領域を含む中間部と、その両端側に位置する前方部と後方部とを有し、
前記吸収層は、前記前方部から前記後方部に亘って冷感剤を含有し、
前記吸収層に含有される単位面積当たりの冷感剤量が、前記中間部において、前記前方部及び前記後方部と同じ又は前記前方部及び前記後方部より多くされ、
前記中間部には、前記吸収層の肌側面に含有される単位面積当たりの冷感剤量が前記前方部及び前記後方部より少ない低冷感領域を有し、
前記低冷感領域において、含有される単位面積当たりの冷感剤量は、非肌側面よりも肌側面が多い、吸収性物品。
【請求項２】
前記低冷感領域の肌側面に含有される単位面積当たりの冷感剤量（Ｍ４）の、前方部の肌側面に含有される単位面積当たりの冷感剤量（Ｍ５）、及び後方部の肌側面に含有される単位面積当たりの冷感剤量（Ｍ６）に対する比（Ｍ４／Ｍ５）及び（Ｍ４／Ｍ６）が、０．４以上、１．０未満である、請求項１に記載の吸収性物品。
【請求項３】
前記低冷感領域に、その前後における吸収層坪量よりも吸収層坪量が大きい高坪量部を有する、請求項１又は２に記載の吸収性物品。
【請求項４】
前記吸収層が吸収性シートの積層構造を有し、前記高坪量部ではその前後よりも該吸収性シートの積層数が多い、請求項３に記載の吸収性物品。
【請求項５】
前記吸収性シートの積層構造として、前記低冷感領域に、肌側吸収性シートと非肌側吸収性シートとの間に中央吸収性シートを含む積層構造を有し、該低冷感領域の積層構造において、含有される単位面積当たりの冷感剤量が前記中央吸収性シートで最も多い、請求項４に記載の吸収性物品。
【請求項６】
前記吸収層において、前方部の非肌側面に含有される単位面積当たりの冷感剤量（Ｍ８）、及び後方部の非肌側面に含有される単位面積当たりの冷感剤量（Ｍ９）各々の、前記低冷感領域の非肌側面に含有される単位面積当たりの冷感剤量（Ｍ７）に対する比（Ｍ８／Ｍ７）及び（Ｍ９／Ｍ７）は、１．５以上、３．５以下である、請求項１〜５のいずれか１項に記載の吸収性物品。
【請求項７】
前記吸収層において、前記中間部に含有される単位面積当たりの冷感剤量（Ｍ１）の、前方部に含有される単位面積当たりの冷感剤量（Ｍ２）又は後方部に含有される単位面積当たりの冷感剤量（Ｍ３）に対する比（Ｍ１／Ｍ２）又は（Ｍ１／Ｍ３）が、１．０以上、２．０以下である、請求項１〜６のいずれか１項に記載の吸収性物品。
【請求項８】
前記低冷感領域の肌側面に含有される単位面積当たりの冷感剤量（Ｍ４）の、前記低冷感領域の非肌側面に含有される単位面積当たりの冷感剤量（Ｍ７）に対する比（Ｍ４／Ｍ７）が、１．１以上、３．０以下である、請求項１〜７のいずれか１項に記載の吸収性物品。
【発明の詳細な説明】
【技術分野】
【０００１】  本発明は、生理用ナプキンや失禁パッド、おむつなどの吸収性物品に関する。
【背景技術】
【０００２】  生理用ナプキン等の吸収性物品において、排泄液が多いときや長時間使用するときなどにムレやべたつきが生じて着用者が不快に感じることがある。これに対し、従来、清涼剤等の冷感剤を吸収性物品に含有させることによって、この不快感を除き着用感の向上をはかろうとする技術が提案されている（例えば特許文献１〜３）。冷感剤は揮発して、着用者の肌の感覚神経細胞のＴＲＰＭ８やＴＲＰＡ１などを刺激して受容器のしきい値を変化させることで清涼感が感じられる。  特許文献１記載の吸収性物品は、冷感剤が排泄によって消耗されるという問題に対応するため、着用者の排泄部に当接する領域における冷感材料の量を、それ以外の領域よりも多くしている。また、特許文献２及び３記載の吸収性物品は、清涼剤による過度な刺激を着用者に与えるという問題に対応するため、物品の平面方向において、着用者の排泄部に当接する領域よりも、それ以外の領域における清涼剤の量を多くしている。
【先行技術文献】
【特許文献】
【０００３】
【特許文献１】特開２０１０−２３４０３１号公報
【特許文献２】特開２０１０−２３４０２８号公報
【特許文献３】特開２０１０−２３４０２７号公報
【発明の概要】
【０００４】  本発明は、縦方向とこれに直交する幅方向とを有し、吸収層を具備する吸収性物品であって、前記縦方向に沿って、着用者の排泄部と対向する受液領域を含む中間部と、その両端側に位置する前方部と後方部とを有し、前記吸収層は、前記前方部から前記後方部に亘って冷感剤を含有し、前記吸収層に含有される単位面積当たりの冷感剤量が、前記中間部において、前記前方部及び前記後方部と同じ又は前記前方部及び前記後方部より多くされ、前記中間部には、前記吸収層の肌側面に含有される単位面積当たりの冷感剤量が前記前方部及び前記後方部より少ない低冷感領域を有する、吸収性物品を提供する。
【０００５】  本発明の上記及び他の特徴及び利点は、適宜添付の図面を参照して、下記の記載からより明らかになるであろう。
【図面の簡単な説明】
【０００６】
【図１】本発明における吸収性物品の好ましい一実施形態としての生理用ナプキンを伸長した状態で肌当接面側から模式的に示す一部切欠斜視図である。
【図２】吸収層の平面図である。
【図３】本実施形態における吸収層を模式的に示す断面図であり、（Ａ）は図２に示す吸収層の縦方向に沿うＡ−Ａ線断面を示す断面図であり、（Ｂ）は図２に示す吸収層の幅方向に沿うＢ−Ｂ線断面を示す断面図である。
【図４】本実施形態における吸収層が高坪量部を有する態様を模式的に示す断面図であり、（Ａ）は高坪量部を有する吸収層の縦方向に沿う断面を示す、図３（Ａ）に対応する断面図であり、（Ｂ）は高坪量部を有する吸収層の幅方向に沿う断面を示す、図３（Ｂ）に対応する断面図である。
【図５】吸収層が吸収性シートの積層構造を有する態様を、図１に示す生理用ナプキンのＴ−Ｔ線断面について模式的に示す断面図である。
【図６】（Ａ）〜（Ｄ）は、中央吸収性シートの折り畳み構造の他の好ましい例を示す断面図である。
【発明の詳細な説明】
【０００７】  本発明は、着用者の肌に対する程良い冷感効果を長く維持することができる吸収性物品に関する。
【０００８】  冷感剤を配合した吸収性物品において、着用者のいわゆるデリケートエリア（排泄部）の肌は角層が少ないため冷感による刺激を強く受けやすい。また、該デリケートエリアに対応するナプキンの受液領域では排泄により冷感が過剰に効きやすくなる。  特許文献１記載の吸収性物品のように、着用者の排泄部と対向する領域（受液領域）に単に冷感剤の量を増やしては、痛みを伴い不快感を与える場合があり、却って着用感を損ねかねない。一方、特許文献２及び３記載の吸収性物品のように、冷感剤を、着用者の排泄部と対向する領域（受液領域）の外側に多く配置すると、蒸れやすい部分における十分な冷感効果を持続することが難しくなる。
【０００９】  これに対し、本発明に係る吸収性物品は、着用者の肌に対する程良い冷感効果を長く維持することができる。
【００１０】  以下、本発明に係る吸収性物品の好ましい一実施形態としての生理用ナプキン（以下、ナプキンとも言う）１０について、図面を参照しながら説明する。  本発明においては、特に断らない限り、人体に接触する側を肌側ないし肌当接面側あるいは表面側といい、これと反対側を非肌側ないし非肌当接面側あるいは裏面側という。これらは、人体に接触する面を有さない部材に関しても、吸収性物品の部材構成における相対的な位置関係を示す用語として用いる。また、着用時に人体の前側に位置する方向を前方といい、後側に位置する方向を後方という。吸収性物品の表面又は裏面の法線方向を厚み方向という。
【００１１】  ナプキン１０は、図１に示すように、液保持性の吸収層３を有する。本実施形態においては、吸収層３の肌当接面側に表面層１と、吸収層３の非肌当接面側に裏面層２とが配されている。表面層１は液を吸収層３へと送り込む液透過性を備え、裏面層２は液に対する防漏性を備える。表面層１及び裏面層２は吸収層３の両面を覆いつつ、吸収層３の外縁外方へと延出する大きさを有する。さらに表面層１と吸収層３との間には、液拡散性を備える中間繊維層４を有する。また、表面層１の肌当接面側の両側にサイドシート５が積層されている。サイドシート５と裏面層２とが吸収層３の幅方向外方に延出して、着衣等への固定手段であるウイング部６を形成している。ウイング部６及び裏面層２の非肌当接面側には、ナプキン１０を着衣に固定するための粘着部（図示せず）を有している。このシートの積層構造において、ナプキン１０の外周縁は、吸収層３を介在させずに接合された外周シール部９となっている。
【００１２】  ナプキン１０は、他の構成部材を含んでいてもよく、中間繊維層４やサイドシート５など、吸収層３以外の構成部材を有さない形態であってもよい。さらに表面層１から吸収層３にかけて圧搾した防漏溝、表面層１上の複数のエンボスなどを有していてもよい。また、サイドシート５は、表面層１と接合されながら、表面層１の両側よりも内方側に自由端部を残すようにしてもよく、前記自由端部に弾性部材等を配して防漏カフを構成してもよい。
【００１３】  ナプキン１０は、平面視において、縦方向（Ｙ方向）と、該縦方向と直交する幅方向（Ｘ方向）とを有する、縦長形状である。また吸収層３は、ナプキン１０と同様に、縦長形状である。縦方向は、ナプキン１０の装着時における、着用者の腹側部、股下部及び背側部を繋ぐ方向に対応する。幅方向は、着用者の股下における左右の足を繋ぐ方向に対応する。本明細書において、縦方向（Ｙ方向）及び幅方向（Ｘ方向）は、ナプキン１０の平面視における方向を示すと同時に、吸収層３の平面視における方向を示す。
【００１４】  ナプキン１０は、縦方向（Ｙ方向）に沿って、着用者の排泄部と対向する部位（後述の受液領域Ｃ１）を含む中間部Ｃと、その両端側に位置する、前方部Ｆと後方部Ｒとを有する。前方部Ｆは、着用者の下腹部側と対向して配置され、後方部Ｒは、着用者の臀部側と対向して配置される。  中間部Ｃには、幅方向中央部分に、前記排泄部に対向し、排泄液を直接受け止める受液領域Ｃ１がある。受液領域Ｃ１がある「幅方向中央部分」とは、図２に示すように、幅方向の中心線Ｌから左右に広がる所定幅の範囲をいい、吸収層３の幅方向両端縁３９よりも内側の範囲の部分を言う。具体的には、ナプキン１０の幅方向の中心線Ｌから左右に広がる領域であって、吸収層幅に対して４０％以上６０％以下の範囲の部分をいう。なお、中間部Ｃ、受液領域Ｃ１、前方部Ｆ及び後方部Ｒは、ナプキン１０における区分を示すと同時に、これに対応する吸収層３における区分をも示す。
【００１５】  中間部Ｃ、前方部Ｆ及び後方部Ｒの区分位置は、使用目的等によって設定される吸収性物品の長さに応じて適宜設定され得る。ショーツの股下部に折り曲げて固定するウイング部６を備える場合は、該ウイング部６の存在する縦方向に沿った領域が中間部Ｃとなる。本実施形態のナプキン１０は、昼用などとして設定される形状の例を示しており、縦方向の長さを３等分して、前方部Ｆ、中間部Ｃ及び後方部Ｒが設定されており、ウイング部を備えない昼用のナプキンの場合には、中間部Ｃはこの設定に従う。ナプキン１０がどのような形状であっても一般的には、中間部Ｃは、前方部Ｆからの一定の距離の位置にある部位として設定され得る。さらに大人用若しくは幼児用のおむつなど、また、尿取りパッドなどについては、縦方向の長さを３等分して、前方部Ｆ、中間部Ｃ及び後方部Ｒが設定される。
【００１６】  吸収層３は冷感剤を含有している。  具体的には、冷感剤は、吸収層３の平面視（図２参照）において、前方部Ｆから後方部Ｒに亘って吸収層３に含有されている。冷感剤は、揮発して、着用者の皮膚及び／又は粘膜表面の温度受容器を刺激して、皮膚及び／又は粘膜表面上の温度を変化させることなしに、着用者に冷感、爽快感を感じさせることができる剤である。
【００１７】  吸収層３に含有される単位面積当たりの冷感剤量は、中間部Ｃにおいて、前方部Ｆ及び後方部Ｒと同じ又は前方部Ｆ及び後方部Ｒより多くされている。ここで規定する中間部Ｃ、前方部Ｆ及び後方部Ｒそれぞれにおける単位面積当たりの冷感剤量は、縦方向を区分する各領域の、吸収層３の幅及び厚み全体に亘る部分の含有量である。冷感剤は、吸収層３の縦方向全体に含有されており、中間部Ｃに区分される吸収層部分が、前方部Ｆ及び後方部Ｒに区分される吸収層部分と比較して、含有される単位面積当たりの冷感剤量を同等以上としている。  中間部Ｃにおける単位面積当たりの冷感剤量がその前後と同等以上になることで、着用者のどの部位に対しても、冷感効果を持続させることができる。特に、吸収層３の中間部Ｃの冷感剤量が相対的に多いと、蒸れやすい着用者の排泄部付近に対し、他の部位よりも相対的に長く冷感を付与できる。なお、本明細書において、各部位に含有される「単位面積当たりの冷感剤量」を単に「冷感剤坪量」と称して説明することがある。
【００１８】  中間部Ｃに含有される単位面積当たりの冷感剤量（Ｍ１）が、前方部Ｆに含有される単位面積当たりの冷感剤量（Ｍ２）、又は後方部Ｒに含有される単位面積当たりの冷感剤量（Ｍ３）よりも多い場合、両者の比は次の範囲にあることが好ましい。  すなわち、冷感剤坪量（Ｍ１）の、冷感剤坪量（Ｍ２）又は（Ｍ３）に対する比（Ｍ１／Ｍ２）又は（Ｍ１／Ｍ３）は、排泄部付近の冷感効果の持続性の観点から、１．０以上が好ましく、１．１０以上がより好ましく、１．１５以上が更に好ましい。また、前記比（Ｍ１／Ｍ２）又は（Ｍ１／Ｍ３）は、着用者が排泄部付近での冷感を適度に感じ易くする観点から、２．０以下が好ましく、１．９以下がより好ましく、１．８以下が更に好ましい。
【００１９】  冷感剤としては、後述するように、水不溶性又は水難溶性のものが好ましく、メントールやメントール誘導体がより好ましい。特にメントールと乳酸メンチルを含むことが好ましい。なお、冷感剤が乳酸メンチルを含む場合には、乳酸メンチルが高い冷感持続性を有することから、上述した冷感剤量は乳酸メンチルの含有の有無及び含有量によって評価する。
【００２０】（単位面積あたりの冷感剤量の測定方法）  吸収性物品の対象部材又は対象部位から冷感剤を溶媒で抽出し、抽出溶液をガスクロマトグラフィ法（ＧＣ）で分析することができる。測定は、ガスクロマトグラフに取り付けた水素炎イオン化型検出器（ＦＩＤ）で行い、例えば、Agilent  technologies製7890Aにより測定することができる。予め冷感剤を構成する化合物の濃度とピーク面積の関係を検量線化しておき、当該検量線を基に定量作業を行う。  冷感剤が乳酸メンチル及び／又はメントールを含む場合を例に説明する。溶媒としてメタノールを使用して対象部材又は対象部位から乳酸メンチル及び／又はメントールを抽出する。予め濃度の異なる３〜５段階程度の乳酸メンチル溶液及び／又はメントール溶液を準備し、ＧＣのクロマトグラムからそれぞれの濃度のピーク面積を算出し、標準試料として、ｎ−ペンチルアルコールを用い、標準試料の濃度に対してそのピーク面積をプロットした検量線を作成する。検量線を作成した分析と同じ条件で抽出液の分析を行うことで、得られたピーク面積を検量線にあてはめて乳酸メンチル量及び／又はメントール量を算出する。得られた乳酸メンチル量及び／又はメントール量を、予め採取した製品部位の面積で除することにより、単位面積当たりの冷感剤量を求めることができる。  製品の構成部材又は部位ごとの冷感剤量を知るには、５℃のチャンバー内で製品を分解し、測定する材料部位を取り出すことで分析可能となる。後述する吸収層構造（１）又は（２）のような、層状の吸収層であれば、５℃のチャンバー内で各層ごとに吸収層を分解し、測定対象となる層について冷感剤量を測定する。一方、後述する吸収層構造（３）の場合には、中間部Ｃとその周囲において、ピンセットのような先細のつまみを用いて吸収層の厚み１ｍｍまでの範囲において最表面をできるだけ均等に採取し、冷感剤量の測定を行う。
【００２１】  吸収層３は、中間部Ｃに、吸収層３の肌側面に含有される単位面積当たりの冷感剤量が前方部Ｆ及び後方部Ｒより少なくされた低冷感領域３４を有する。低冷感領域３４は、図３（Ａ）及び（Ｂ）に示すように、吸収層３の肌側面における上記の冷感剤量の要件を満たす、吸収層３の厚み全体に亘る部分である。言い換えると、低冷感領域３４は、吸収層３の肌側面の、上記の冷感剤量の要件を満たす部分と、当該部分よりも非肌側に存在する吸収層３の厚み部分とからなる。低冷感領域３４は、吸収層３の厚み全体に冷感剤を含有しながら、肌側面３４Ａに含有される冷感剤量を平面方向における前後の肌側面よりも少なくしている。すなわち、吸収層３全体の肌側面３Ａのうち、低冷感領域３４の肌側面３４Ａに含有される単位面積当たりの冷感剤量が、前方部Ｆの肌側面ＦＡ及び後方部Ｒの肌側面ＲＡに含有される単位面積当たりの冷感剤量よりも少なくされている。
【００２２】  吸収層３における肌側面は、吸収層の表面部分を示しており、吸収層３の構造に応じて下記（１）〜（３）の定義によって区分される部分である。これは、吸収層３全体の肌側面３Ａ、低冷感領域３４の肌側面３４Ａ、前方部Ｆの肌側面ＦＡ、後方部Ｒの肌側面ＲＡいずれについても適用される。  （１）吸収層３が複数枚の吸収性シートの積層体である場合、最も肌側に位置する吸収性シートの部分を肌側面とする。  （２）吸収層３が、パルプ等の液吸収材料を積繊した吸収性コアをコアラップシートで覆ったものである場合、最も肌側に位置するコアラップシートの部分を肌側面とする。  （３）吸収層３が前記吸収性コアを剥き出しにしたものである場合、該吸収性コアの最も肌側の表層部分から厚み１ｍｍまでの部分を肌側面とする。  この定義に基づき、「肌側面」に含有される単位面積当たりの冷感剤量とは、次の部位における含有量である。すなわち、前記（１）の場合、最も肌側に位置する吸収性シートに含まれる冷感剤量である。前記（２）の場合、最も肌側に位置するコアラップシートに含まれる冷感剤量である。前記（３）の場合、最も肌側の表層部分から厚み１ｍｍまでの部分に含まれる冷感剤量である。  吸収層３の好ましい態様については、後述する。
【００２３】  低冷感領域３４は、縦方向の中間部Ｃにあり、少なくとも、着用者の排泄部と対向する受液領域Ｃ１を含む平面領域に配されている。本実施形態においては、低冷感領域３４は、受液領域Ｃ１にのみ配されている。ただし、この態様に限定されず、低冷感領域３４は、吸収層３の幅方向両端部３９、３９にまで亘る中間部Ｃ全体に配されていてもよい。また、低冷感領域３４は、中間部Ｃの縦方向の長さ全体に亘って配される場合に限らず、これよりも短い領域に配されていてもよい。
【００２４】  吸収層３が、中間部Ｃに低冷感領域３４を有することにより、着用者のデリケートエリア（排泄部）に対する冷感効果を、前方部Ｆ及び後方部Ｒよりも相対的に弱く感じさせ、刺激感を和らげることができる。特に、低冷感領域３４における冷感剤量の少ない部位が肌側面３４Ａであるため、ナプキン１０の着用初期から、デリケートエリアに対する刺激が緩和される。これにより、着用初期の肌が刺激に慣れていない段階から、程よい冷感を付与することができる。加えて、前述したように、中間部Ｃ全体に含有される単位面積当たりの冷感剤量が、前方部Ｆ及び後方部Ｒと同等以上であることで、着用者のデリケートエリアに対する程よい冷感効果が、長く続きやすい。すなわち、中間部Ｃの冷感剤量を減じることなく、低冷感領域３４の肌側面３４Ａのみの冷感剤量を抑えたことによって、肌に一度に与える刺激を抑えながら、程よい冷感を長く肌に付与することができる。また、ナプキン１０を長時間着用した場合に、たとえデリケートエリアに与える冷感が途中で強くなることがあったとしても、着用初期とは違って、長時間の着用によって着用者は冷感に慣れ、冷感剤の強い刺激感は抑制されやすい。このように、着用初期段階の冷感効果を抑え、長期に付与することで、着用者に程よい冷感を長く感じさせることができる。
【００２５】  低冷感領域３４の肌側面３４Ａに含有される単位面積当たりの冷感剤量（Ｍ４）の、前方部Ｆの肌側面ＦＡに含有される単位面積当たりの冷感剤量（Ｍ５）、及び後方部Ｒの肌側面ＲＡに含有される単位面積当たりの冷感剤量（Ｍ６）に対する比（Ｍ４／Ｍ５）及びＭ４／Ｍ６）は、着用者に程よい冷感を付与し易い観点から、０．４以上が好ましく、０．５以上がより好ましく、０．６以上が更に好ましい。また、前記比（Ｍ４／Ｍ５）及び（Ｍ４／Ｍ６）は、着用者が、前方部又は後方部に比べて排泄部にける適度な冷感を感じ易い観点から、１．０未満が好ましく、０．９５以下がより好ましく、０．９以下が更に好ましい。
【００２６】  低冷感領域３４において、含有される単位面積当たりの冷感剤量が、非肌側面３４Ｂよりも肌側面３４Ａで、相対的に多くされていることが好ましい。低冷感領域３４において、上記のように冷感剤量を調整することによって、着用者は着用時に程よい冷感を素早く感じ、冷感の感じ方に即効性を付与することができる。
【００２７】  ここでいう肌側面３４Ａは前述した定義によって区部される部分である。非肌側面３４Ｂは、吸収層の構造に応じて下記（１）〜（３）の定義によって区分される部分である。  なお、下記に定義する非肌側面は、低冷感領域３４の非肌側面３４Ｂだけでなく、吸収層３全体の非肌側面３Ｂ、前方部Ｆの非肌側面ＦＢ、後方部Ｒの非肌側面ＲＢいずれについても適用される。  （１）吸収層３が複数枚の吸収性シートの積層体である場合、最も非肌側に位置する吸収性シートの部分を非肌側面とする。  （２）吸収層３が、パルプ等の液吸収材料を積繊した吸収性コアをコアラップシートで覆ったものである場合、最も非肌側に位置するコアラップシートの部分を非肌側面とする。  （３）吸収層３が前記吸収性コアを剥き出しにしたものである場合、該吸収性コアの最も非肌側の表層部分から厚み１ｍｍまでの部分を非肌側面とする。  この定義に基づき、「非肌側面」に含有される単位面積当たりの冷感剤量とは、次の部位における含有量である。すなわち、前記（１）の場合、最も非肌側に位置する吸収性シートに含まれる冷感剤量である。前記（２）の場合、最も非肌側に位置するコアラップシートに含まれる冷感剤量である。前記（３）の場合、最も非肌側の表層部分から厚み１ｍｍまでの部分に含まれる冷感剤量である。
【００２８】  低冷感領域３４の肌側面３４Ａに含有される単位面積当たりの冷感剤量（Ｍ４）の、低冷感領域３４の非肌側面３４Ｂに含有される単位面積当たりの冷感剤量（Ｍ７）に対する比（Ｍ４／Ｍ７）は、程よい冷感を素早く付与する観点から、１．１以上が好ましく、１．３以上がより好ましく、１．５以上が更に好ましい。また、前記比（Ｍ４／Ｍ７）は、冷感剤が非肌側面３４Ｂに適度に移行し易くする観点から、３．０以下が好ましく、２．７以下がより好ましく、２．５以下が更に好ましい。
【００２９】  吸収層３の非肌側面３Ｂにおいては、含有される単位面積当たりの冷感剤量は、低冷感領域３４よりも前方部Ｆ側及び後方部Ｒ側で多くされていることが好ましい。すなわち、低冷感領域３４の非肌側面３４Ｂに含有される単位面積当たりの冷感剤量よりも、前方部Ｆ側の非肌側面ＦＢ及び後方部Ｒ側の非肌側面ＲＢそれぞれに含有される単位面積当たりの冷感剤量が多くされていることが好ましい。このように冷感剤量に差異を設けることで、冷感剤が時間の経過とともに前方部Ｆ及び後方部Ｒから低冷感領域３４へと移行しやすく、低冷感領域３４から感じる冷感の持続性が高められる。
【００３０】  前方部Ｆの非肌側面ＦＢに含有される単位面積当たりの冷感剤量（Ｍ８）、及び後方部Ｒの非肌側面ＲＢに含有される単位面積当たりの冷感剤量（Ｍ９）各々の、低冷感領域３４の非肌側面３４Ｂに含有される単位面積当たりの冷感剤量（Ｍ７）に対する比（Ｍ８／Ｍ７）及び（Ｍ９／Ｍ７）は、長時間着用時の冷感の持続性の観点から、１．５以上が好ましく、１．７５以上がより好ましく、２．０以上が更に好ましい。また、前記比（Ｍ８／Ｍ７）及び（Ｍ９／Ｍ７）は、着用者の排泄部での適度な冷感付与の観点から、３．５以下が好ましく、３．２５以下がより好ましく、３．０以下が更に好ましい。
【００３１】  上記した吸収層３における単位面積当たりの冷感剤量の関係は、冷感剤の塗布位置や塗布量、吸収層の坪量、吸収層の密度、吸収層の構成材料、積層構造等を適宜設定して定めることができる。
【００３２】  次に、吸収層３の好ましい態様について、図４（Ａ）及び（Ｂ）、図５並びに図６を参照して、説明する。
【００３３】  吸収層３は、図４（Ａ）及び（Ｂ）に示すように、低冷感領域３４に、低冷感領域３４の前後における吸収層坪量よりも吸収層坪量が大きい高坪量部３３を有することが好ましい。高坪量部３３は周囲よりも嵩高くなり、冷感剤を厚み方向に分散させたものとすることができる。これにより、低冷感領域３４における肌側面３４Ａの冷感剤量を所望の範囲に適宜設定することができる。冷感剤量を所望の範囲に制御する観点から、肌側面３Ａに冷感剤含有液の塗布部が配されていることが好ましい。冷感剤含有液とは、冷感剤と溶媒とを混合した塗布液のことであり、ナプキン１０に含有させる際に用いられる液である。冷感剤含有液の塗布部は、製造工程において最初に含有させられる部位である。  例えば、吸収層３の肌側面３Ａにおいて、高坪量部３３から前方部Ｆ及び後方部Ｒへと縦方向に冷感剤含有液を塗布する。冷感剤含有液は溶媒の浸透、拡散により、吸収層３の肌側面３Ａから厚み方向に移行しやすい。高坪量部３３においては、前方部Ｆ及び後方部Ｒとの坪量の違いから、前方部Ｆ及び後方部Ｒよりも多くの冷感剤含有液が厚み方向に移動し、肌側面における冷感剤量がより少なくなる。これによって、高坪量部３３に低冷感領域３４が形成される。前記溶媒としては、通常用いられる種々のものを採用できる。例えば、ジプロピレングリコールなどが挙げられる。
【００３４】  高坪量部３３は、低冷感領域３４に対応して配されることが好ましい。具体的には、中間部Ｃの受液領域Ｃ１に配されることが好ましく、受液領域Ｃ１を含む所定範囲に配されることがより好ましい。高坪量部３３は、吸収層３の態様に応じて種々の方法によって形成することができる。例えば、吸収層３がパルプ等の液吸収材料を積繊した吸収性コアを有するものである場合、液吸収材料の積繊量を周囲よりも増量することによって、高坪量部３３を形成できる。また、後述する吸収性シートの積層体である場合は、吸収性シートの枚数を周囲よりも増やすことによって、高坪量部３３を形成できる。
【００３５】  高坪量部３３は、上記のようにして周囲よりも嵩高くなり、周囲よりも厚くされている。この高坪量部３３の厚み部分が周囲よりも肌側に突出した形状であることが好ましい。これにより、高坪量部３３は、受液領域Ｃ１にあって排泄液（体液）の液吸収性が高く、ナプキン１０における表面層１における液残りに対する防止性を高める。また、ナプキン１０の高坪量部３３を有する部分が着用者の肌にフィットしながら、排泄液を漏らすことなく直接的に吸収するため、液漏れに対する防止性も高める。このとき、肌にフィットした高坪量部３３に低冷感領域３４があることによって、肌への過度な刺激を抑え、程よい冷感効果を長く付与し続けることができる。
【００３６】  吸収層３は、吸収性シートの積層構造を有することが好ましい。吸収層３が吸収性シートの積層構造を有する場合、前述の高坪量部３３は、その前後と比較して、吸収性シートの積層数を多くされていることが好ましい。  吸収層３が吸収性シートによる厚み方向の積層構造を有することによって、高坪量部３３における冷感剤の移行を好適に制御しやすくなる。すなわち、高坪量部３３において、肌側面の冷感剤を適度に残しながら厚み方向に分散させて、前方部Ｆ及び後方部Ｒの肌側面ＦＡ及びＲＡと比較して冷感剤量を少なくした低冷感領域３４を形成することができる。また、高坪量部３３の積層構造が、層間における冷感剤の滲出量を適度に抑制して、高坪量部３３の非肌側面での冷感剤含有量が過剰になることを防ぐ。これにより、より好ましい低冷感領域３４を形成することができる。また、吸収層３における層間に冷感剤の揮発成分を一時貯留して、程よい冷感効果をより長い時間、肌に付与することができる。
【００３７】  吸収性シートは、親水性繊維からなる２つのシート状の繊維層間に高吸収性ポリマー材を挟持して固定した厚みの薄いシート体である。吸収性シートの形成にあたっては、高吸収性ポリマーが湿潤によって発現する粘着力や別に添加した接着剤や接着性繊維等のバインダーを利用して一体化することができる。作製は通常用いられる種々の方法によって行うことができ、湿式、乾式いずれの方式によってもよい。吸収性シートは厚みを３．０ｍｍ以下に抑えながら、高吸収性ポリマー材をシートの平面方向に分散配置させているためゲルブロッキングを起こし難く、高い吸収力を有する。例えば、特開平８−２４６３９５号公報の段落［００１９］〜［０１３１］に記載のものなどが挙げられる。
【００３８】  吸収層３が吸収性シートの積層構造を有する場合、図５に示すような積層構造を有することが好ましい。  すなわち図５に示すように、吸収層３が、吸収性シートの積層構造として、肌側吸収性シート３１Ａと非肌側吸収性シート３１Ｂとの間に中央吸収性シート３２を含む積層構造を有することが好ましい。この積層構造が高坪量部３３をなしており、該積層構造が低冷感領域３４にあることがより好ましい。
【００３９】  肌側吸収性シート３１Ａ、非肌側吸収性シート３１Ｂ及び中央吸収性シート３２は、いずれも冷感剤を含有することが好ましい。含有される単位面積当たりの冷感剤量は、上記３種類のシートのうち、中央吸収性シート３２で最も多いことが好ましい。中央吸収性シート３２に多くの冷感剤を含ませることで、高坪量部３３に低冷感領域３４を配して肌への過度な刺激を抑制しながら、冷感剤を肌当接面側に供給しやすくなり、適度な冷感をより長く持続させることができる。
【００４０】  図５に示す態様においては、肌側吸収性シート３１Ａと非肌側吸収性シート３１Ｂとは、１枚の本体吸収性シート３１を折り畳んで肌側に配された部分と非肌側に配された部分としている。ただし、肌側吸収性シート３１Ａと非肌側吸収性シート３１Ｂとは、この態様のように連続した吸収性シートからなるものに限定されるものでなく、別々の独立した吸収性シートからなっていてもよい。
【００４１】  以下に、図５に示す吸収層３の構造について詳述する。
【００４２】  図５に示す吸収層３は、本体吸収性シート３１と中央吸収性シート３２とを折り畳んでなる積層構造を有する。  本体吸収性シート３１は、裏面層２側で幅方向の両端部を重ね合わせて三つ折りされた、折り畳み構造を有する。本体吸収性シート３１は、中間部Ｃから前方部Ｆ及び後方部Ｒに及ぶ長さを有し、吸収層３の外形形状をなしている。  中央吸収性シート３２は、表面層１側で幅方向の両端部を重ね合わせて三つ折りされた、折り畳み構造を有する。中央吸収性シート３２は、折り畳まれた状態において、折り畳まれた本体吸収性シート３１よりも幅狭であり、本体吸収性シート３１よりも縦方向の長さが短く、中間部Ｃの幅方向中央に配されている。中央吸収性シート３２は、本体吸収性シート３１の折り畳み構造の内部に収められている。
【００４３】  上記の積層構造において、本体吸収性シート３１の中央吸収性シート３２よりも肌側にある部分が、肌側吸収性シート３１Ａとなる。また、本体吸収性シート３１の中央吸収性シート３２よりも非肌側にある部分が、非肌側吸収性シート３１Ｂとなる。非肌側吸収性シート３１Ｂには、本体吸収性シート３１の折り畳み端部の重なりを含む。肌側吸収性シート３１Ａ及び非肌側吸収性シート３１Ｂが、前述した吸収層３の肌側面３Ａ及び非肌側面３Ｂである。本体吸収性シート３１と中央吸収性シート３２との積層部分を低冷感領域３４とすると、この積層部分における肌側吸収性シート３１Ａ及び非肌側吸収性シート３１Ｂが、低冷感領域３４の肌側面３４Ａ及び非肌側面３４Ｂとなる。
【００４４】  吸収層３は、上記の積層構造において、中央吸収性シート３２を有することによって、中間部Ｃの幅方向中央に、周辺より厚い高坪量部３３を備える。高坪量部３３の位置において、ナプキン１０が着用者の肌面にフィットしやすく、冷感を着用者が感じやすくなり好ましい。また、吸収層３は、高坪量部３３におけるシートの積層構造によって、層間における厚み方向への冷感剤の滲出量を抑制することができる。これにより、冷感剤の揮発した成分を、中間部Ｃの領域において、吸収層３の比較的肌に近い位置で溜めて肌へと送り込むことができる。このとき、積層構造の部分が低冷感領域３４であることによって、肌への直接的な過度な刺激を抑えながら、程よい冷感効果を長く肌に付与し続けることができる。
【００４５】  吸収層３において、高坪量部３３の厚み（Ｈ１）に対する、高坪量部３３以外の部分の厚み（Ｈ２）の比（Ｈ２／Ｈ１）は、肌面に対して違和感なく使用できる観点から、１／５以上が好ましく、１／３以上がより好ましい。前記比（Ｈ２／Ｈ１）は、フィット性の観点から、４／５以下が好ましく、２／３以下がより好ましい。  また吸収層３において、高坪量部３３の坪量（Ｎ１）に対する、高坪量部３３以外の部分の坪量（Ｎ２）の比（Ｎ２／Ｎ１）は、排泄液吸収時の液拡散防止の観点から、１／４以上が好ましく、１／３以上がより好ましい。前記比（Ｎ２／Ｎ１）は、高坪量部と低坪量部の剛性差によるヨレ防止の観点から、７／８以下が好ましく、２／３以下がより好ましい。
【００４６】  中央吸収性シート３２の折り畳み構造としては、図５に示す態様に限らず、種々のものとすることができる。例えば、図６（Ａ）〜（Ｄ）に示すような折り畳みであってもよい。図６（Ａ）は、中央吸収性シート３２の幅方向の両端部をそれぞれ肌当接面側と非肌当接面側とに折り返しＳ字状に折り畳んだ態様を示している。図６（Ｂ）は幅方向に二つ折りした態様を示している。図６（Ｃ）及び（Ｄ）は、幅方向に三つ折りした各部分の長さが等しくなるように折り畳んだ態様を示している。
【００４７】  本体吸収性シート３１の折り畳み構造は、図５に示す態様に限らず、種々のものとすることができる。例えば、中央吸収性シート３２の折り畳み構造として示した図６（Ａ）〜（Ｄ）と同様のものとしてもよい。また肌当接面側と非肌当接面側とに分かれた２枚のシートを積層した構造であってもよい。さらに、本体吸収性シート３１の折り畳み構造の内部に中央吸収性シート３２を内包する態様に限定されず、内包せずに、本体吸収性シート３１の折り畳み構造の非肌当接面側に中央吸収性シート３２を積層する態様であってもよい。  ただし、本体吸収性シート３１の折り畳み構造の内部に中央吸収性シート３２を内包する態様であると、冷感剤の揮発成分をより溜めやすくなり好ましい。
【００４８】  吸収層３がどのような積層構造を有していても、吸収性シートの重なり部分が接合されないことが好ましい。これにより、吸収層３の層間の空間が形成されやすく、前述の層間の開閉性が高まる。その結果、冷感剤の揮発成分の肌への送り込みをより発現させやすくすることができる。
【００４９】  本実施形態においては、肌の敏感な部分への刺激を抑制する観点から、前述したサイドシート５が、吸収層３の幅方向外方から吸収層３の幅方向両端縁３９を跨ぎ、縦方向に延出していることが好ましい。また、少なくとも中間部Ｃにおいて、サイドシート５の内側端が、低冷感領域３４より幅方向外側にあることが好ましい。これにより、サイドシート５が、冷感剤の揮発成分が着用者の鼠蹊部の付近を直接的に刺激することを抑えることができる。このとき、サイドシート５が表面層１よりも通気性が低いことが、肌刺激に対する抑制効果を高める観点から好ましい。通気性は、この種の物品に用いられる方法により適宜設定できる。例えば、サイドシート５が不織布からなる場合に、繊維間距離を狭めたり、用いる油剤を選択したりして通気性を抑えることができる。通気性は、ＪＩＳ  Ｌ１９１３の「６．８．２  ガーレ形式」によって測定したときに、サイドシート５の通気度が表面層１の通気度よりも低いことが好ましい。なお、サイドシート５が当該ガーレ形式で測定できないほど小さい場合には、サイドシート５を、その大きさより小さい開口を有する非通気性のフィルム材（好ましくは、コクヨ製ＯＨＰフィルム等）に貼り付けて測定を行い、開口面積値を当該ガーレ形式で規定される面積（６４２ｍｍ２）に換算する。
【００５０】  また、前述した中間繊維層４が、表面層１と吸収層３との間において、低冷感領域３４と平面視重なる領域にあることが好ましい。これにより、表面層１の非肌当接面側において、冷感剤の揮発した成分を溜める層間の空間が増える。また、中間繊維層４の介在により、丁度よい冷感を長持ちさせることができる。この場合、冷感剤は、中間繊維層４に含まれていてもよく、含まれていなくてもよい。程よい冷感効果を長く効果的に維持する観点から、中間繊維層４よりも低冷感領域３４の肌側面３４Ａの冷感剤量が多いことが好ましい。
【００５１】  中間繊維層４は、表面層１と幅方向に間欠配置された縦方向に延びる複数の接着剤で接合されていることが好ましい。同様に、中間繊維層４は、吸収層３と幅方向に間欠配置された縦方向に延びる複数の接着剤で接合されていることが好ましい。接着剤の幅方向における間欠配置は、この種の物品について用いられる種々の方法により行うことができる。例えば、ホットメルト型等の接着剤を、線状、スパイラル状、Ω字状、サミット状等に間欠塗工することが挙げられる。このとき、スロットコートガン、スパイラルスプレーガン、スプレーガン、ドットガンなど種々の手段を用いて塗工することができる。  これにより、前記接着剤が、冷感剤が幅方向外方へと拡散することを抑制することができ、所望の場所での冷感効果を維持することができる。  また、吸収層３の肌側面の面積に占める前記接着剤の塗工面積の割合は、吸液性（液透過性）の確保の観点から、好ましくは２０％以下であり、より好ましくは１５％以下であり、更に好ましくは１０％以下である。なお、ここで言う「接着剤の塗工面積」とは、接着剤が線状、スパイラル状、Ω字状、サミット状等に間欠塗工されている場合は、塗工された部分の間の非塗工部分を除いた面積である。また、中間部Ｃにおける吸収層幅に対する前記接着剤の塗工幅の割合は、前述の冷感剤の幅方向外方への拡散を抑制する観点から、好ましくは４５％以上であり、より好ましくは６０％以上であり、更に好ましくは７５％以上である。なお、ここで言う「接着剤の塗工幅」は、接着剤が幅方向に間欠的に配されている場合は、各塗工部分における接着剤の幅の合計である。
【００５２】  さらに中間繊維層４は熱可塑性繊維を含む不織布であることが好ましい。中間繊維層４がこのような不織布であることによって液拡散性の高いものとなる。これによって、冷感剤が中間繊維層４に含まれる場合、吸収層３の肌側面に含まれる場合のいずれであっても、冷感剤が非肌側面へと過剰に厚み方向に滲出することを抑制して、冷感効果がより長く維持されやすくなる。  また、中間繊維層４は、表面層１よりも繊維密度が高いことが好ましい。これにより、疎密勾配により表面層１への冷感剤の移行を抑える。その結果、肌への過度な刺激を抑えながらより長時間冷感を保つことができる。
【００５３】  中間繊維層４の幅方向の長さＷ１の、吸収層３の幅方向の長さＷ２に対する割合は、排泄液を効果的に拡散させる観点から、６０％以上が好ましく、６５％以上がより好ましく、７０％以上が更に好ましい。また、前記割合は、排泄液の漏れを防止する観点から、９０％以下が好ましく、８５％以下がより好ましく、８０％以下が更に好ましい。
【００５４】  ナプキン１０を構成する部材の形成材料は、この種の物品に用いられるものを特に制限なく用いることができる。
【００５５】  冷感剤としては、着用者の皮膚及び／又は粘膜表面の温度受容器を刺激して、皮膚及び／又は粘膜表面上の温度を変化させることなしに、着用者に爽快感を伝えることのできる種々の剤を用いることができる。例えば、シクロヘキシル誘導体、シクロヘキサノール誘導体、カルボキサミド類など、特開２０１５−１２９１８号公報の段落［０００６］〜［００８６］に記載のものが挙げられる。  その中でも、匂いによる爽快感と速効性、持続性の観点から、水不溶性又は水難溶性のものが好ましい。水不溶性又は水難溶性の冷感剤は体液とともに非肌当接面側へ移行しにくいことから、冷感は持続しやすい。水不溶性又は水難溶性のものとしては、乳酸メンチル、メントールが好ましい。ここで言う「水不溶性又は水難溶性」とは、２５℃の水１Ｌに対して１ｇ以下の溶解性であることを言い、特に「水不溶性」は２５℃の水１Ｌに対して０．１ｇ以下の溶解性であることを言う。  冷感剤は、種々の方法によってナプキン１０に含ませることができる。例えば、溶媒に溶解させた状態でナプキン１０に含ませてもよく、溶媒を用いずに含ませてもよい。また冷感剤はマイクロカプセルに包むなどデリバリー手段を伴ってナプキン１０に含ませてもよい。前記溶媒としては、通常用いられる種々のものを採用できる。例えば、ジプロピレングリコールなどが挙げられる。
【００５６】  冷感剤としては、特に、メントール及び乳酸メンチルを含むことが、冷感効果を着用後素早く感じられると共に穏やかなものとし、持続性を高めることから好ましい。同様の観点から、メントールと乳酸メンチルの含有量は、前者／後者の質量比で、０．０１以上が好ましく、０．０２以上がより好ましく、また、０．２以下が好ましく、０．１５以下がより好ましい。
【００５７】  吸収層３としては、前述した低冷感領域３４を配し得るものである限り、吸収性物品として通常用いられる種々の形態のものを特に制限なく採用することができる。例えば、親水性繊維の積繊体または親水性繊維と高吸収性ポリマー材との混合積繊体を親水性の被覆シートで覆ったものでもよい。また、親水性繊維からなる２つのシート状の繊維層間に高吸収性ポリマー材を挟持して固定した薄い吸収性シートから構成されていてもよい。
【００５８】  吸収層３を構成する親水性繊維としては、疎水性の繊維を親水化処理したもの、それ自体が親水性であるものが挙げられる。特に、それ自体が親水性でかつ保水性を有するものが好ましい。後者の親水性繊維としては、天然系の繊維、セルロース系の再生繊維又は半合成繊維が好ましい例として挙げられる。親水性繊維としては、特にパルプ、レーヨンが好ましく、パルプが一層好ましい。更にセルロース繊維の分子内及び／又は分子間を架橋させた架橋セルロース繊維や木材パルプをマーセル化処理して得られるような嵩高性のセルロース繊維を用いてもよい。パルプとしては、針葉樹クラフトパルプ或いは広葉樹クラフトパルプのような木材パルプ、木綿パルプ或いはワラパルプ等の天然セルロース繊維等が挙げられるが、それらに限定されるものではない。これらのパルプは１種又は２種以上を用いることができる。
【００５９】  吸収層３を構成する高吸収性ポリマー材としては、例えば、アクリル酸又はアクリル酸塩を主成分とし、場合によって架橋剤を添加してなる水溶性のエチレン性不飽和モノマーを重合させて得られるヒドロゲル材料が挙げられる。また、ポリエチレンオキサイド、ポリビニルピロリドン、スルホン化ポリスチレン及びポリビニルピリジンの架橋物、デンプン−ポリ（メタ）アクリロニトリルグラフト共重合物のケン化物、デンプン−ポリ（メタ）アクリル酸グラフト共重合物、デンプン−ポリ（メタ）アクリルエステルグラフト共重合物の加水分解物などが挙げられる。これらの高吸収性ポリマー材は１種を単独で、又は２種以上を組み合わせて用いることができる。高吸収性ポリマー材としては、自重の２０倍以上、特に５０倍以上の純水を吸収・保持できゲル化し得るものが好ましい。  高吸収性ポリマー材の形状は、吸収層３に用いられる種々ものを特に制限なく用いることができる。例えば、球状、粒状、繊維状、俵状、塊状などが挙げられる。
【００６０】  表面層１は、液透過性を有する種々のシートを用いることができる。肌触りの良さを考慮すると、親水性の不織布が好ましく、サーマルボンド不織布がより好ましく、エアスルー不織布が特に好ましい。表面層１の不織布を構成する繊維は、親水化処理された熱可塑性樹脂繊維であり、かつ、該繊維が２次クリンプ又は３次クリンプのような立体捲縮がなされた繊維であることが好ましい。具体的には、表面層１の不織布を構成する繊維は、ポリエチレン、ポリプロピレン、ポリエステル、ナイロン、及びこれらの複合繊維を作成し、所定の長さにカットしてステープルを形成する前の段階で、各種親水化剤を塗工することで親水化する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、通常用いられる親水化剤による親水化処理を用いることができる。
【００６１】  裏面層２としては、防漏性を有する種々のものを用いることができる。例えば、非透湿性若しくは透湿性フィルム単独、又はフィルムと不織布とを貼り合わせたもの、撥水性の不織布（ＳＭＳやＳＭＭＳ等）を用いることができる。コスト面やズレ止め粘着剤とのマッチングなどから、透湿性フィルム単独を防漏材として用いることが最も好ましい。この場合の透湿性フィルム材としては、熱可塑性樹脂と、これと相溶性のない無機フィラーを溶融混練して押し出したフィルムを所定の寸法に延伸して微細孔をあけたフィルム、または、本質的に水分の相溶性が高く、浸透膜のように水蒸気排出可能な無孔性のフィルムが挙げられる。
【００６２】  中間繊維層４としては、親水性を有し液拡散性に優れているものが好ましい。熱可塑性繊維を含む不織布などが挙げられる。不織布としては、各種の製法によって得られた不織布を用いることができる。例えば、カード法又はエアレイド法により得た繊維ウエブにエアスルー法で繊維どうしの熱融着点を形成したエアスルー不織布、カード法により得た繊維ウエブにヒートロール法で繊維どうしの熱融着点を形成したヒートロール不織布、ヒートエンボス不織布、スパンレース不織布、ニードルパンチ不織布、レジンボンド不織布等の種々の不織布を用いることができる。
【００６３】  サイドシート５としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）不織布等が用いられる。
【００６４】  本発明の吸収性物品は、上記の実施形態の生理用ナプキンに制限されるものではなく、例えばパンティライナー、失禁パッド、尿とりパッド、使い捨ておむつ等に適応することができる。また、経血に限らずその他、尿、オリモノ、軟便等に対しても効果的である。また、上記構成部材の他、用途や機能に合わせ適宜部材を組み込んでもよい。
【００６５】  また、本発明の吸収性物品は、生理用ナプキンやパンティライナーなど１製品毎にカバンなどに入れて持ち運びされる物である場合、個包装されていることが好ましい。具体的には、表面層が内側になるよう縦方向に折り畳まれて、個包装用の外包材によって包まれた吸収性物品個包装体とされていることが好ましい。個包装体とすることで、肌に触れる表面層（使用面）の衛生を守りつつ、携帯性の高い物品することこができ、使用者の利便性を高めることができる。
【００６６】  上述した実施形態に関し、本発明はさらに以下の吸収性物品を開示する。
【００６７】＜１＞  縦方向とこれに直交する幅方向とを有し、吸収層を具備する吸収性物品であって、前記縦方向に沿って、着用者の排泄部と対向する受液領域を含む中間部と、その両端側に位置する前方部と後方部とを有し、前記吸収層は、前記前方部から前記後方部に亘って冷感剤を含有し、前記吸収層に含有される単位面積当たりの冷感剤量が、前記中間部において、前記前方部及び前記後方部と同じ又は前記前方部及び前記後方部より多くされ、前記中間部には、前記吸収層の肌側面に含有される単位面積当たりの冷感剤量が前記前方部及び前記後方部より少ない低冷感領域を有する、吸収性物品。
【００６８】＜２＞  前記低冷感領域において、含有される単位面積当たりの冷感剤量が、非肌側面よりも肌側面で多い、前記＜１＞に記載の吸収性物品。＜３＞  前記低冷感領域の肌側面に含有される単位面積当たりの冷感剤量（Ｍ４）の、前方部の肌側面に含有される単位面積当たりの冷感剤量（Ｍ５）、及び後方部の肌側面に含有される単位面積当たりの冷感剤量（Ｍ６）に対する比（Ｍ４／Ｍ５）及び（Ｍ４／Ｍ６）が、０．４以上、好ましくは０．５以上、更に好ましくは０．６以上であり、また、１．０未満、好ましくは０．９５以下、更に好ましくは０．９以下である、前記＜１＞又は＜２＞に記載の吸収性物品。＜４＞  前記低冷感領域に、その前後における吸収層坪量よりも吸収層坪量が大きい高坪量部を有する、前記＜１＞〜＜３＞のいずれか１に記載の吸収性物品。＜５＞  前記高坪量部の厚み（Ｈ１）に対する、該高坪量部以外の部分の厚み（Ｈ２）の比（Ｈ２／Ｈ１）は、１／５以上、好ましくは１／３以上であり、また、４／５以下、好ましくは２／３以下である、前記＜４＞に記載の吸収性物品。＜６＞  前記吸収層において、高坪量部の坪量（Ｎ１）に対する、高坪量部以外の部分の坪量（Ｎ２）の比（Ｎ２／Ｎ１）は、１／４以上、好ましくは１／３以上であり、７／８以下、好ましくは２／３以下である、前記＜４＞又は＜５＞に記載の吸収性物品。＜７＞  前記吸収層が吸収性シートの積層構造を有し、前記高坪量部ではその前後よりも該吸収性シートの積層数が多い、前記＜４＞〜＜６＞のいずれか１に記載の吸収性物品。＜８＞  前記吸収性シートの積層構造として、前記低冷感領域に、肌側吸収性シートと非肌側吸収性シートとの間に中央吸収性シートを含む積層構造を有し、該低冷感領域の積層構造において、含有される単位面積当たりの冷感剤量が前記中央吸収性シートで最も多い、前記＜７＞に記載の吸収性物品。＜９＞  前記吸収層の非肌側面において、含有される単位面積当たりの冷感剤量が、前記低冷感領域よりも前方部側及び後方部側で多くされている、前記＜１＞〜＜８＞のいずれか１に記載の吸収性物品。＜１０＞  前記吸収層において、前方部の非肌側面に含有される単位面積当たりの冷感剤量（Ｍ８）、及び後方部の非肌側面に含有される単位面積当たりの冷感剤量（Ｍ９）各々の、前記低冷感領域の非肌側面に含有される単位面積当たりの冷感剤量（Ｍ７）に対する比（Ｍ８／Ｍ７）及び（Ｍ９／Ｍ７）は、１．５以上、好ましくは１．７５以上、更に好ましくは２．０以上であり、また、３．５以下、好ましくは３．２５以下、更に好ましくは３．０以下である、前記＜９＞に記載の吸収性物品。＜１１＞  前記冷感剤が水不溶性又は水難溶性である、前記＜１＞〜＜１０＞のいずれか１に記載の吸収性物品。＜１２＞  前記冷感剤として乳酸メンチルを含む、前記＜１１＞に記載の吸収性物品。＜１３＞  前記冷感剤としてメントールを含む、前記＜１２＞に記載の吸収性物品。＜１４＞  前記メントールと前記乳酸メンチルの質量比が、前者／後者として、０．０１以上、０．２以下、好ましくは０．０２以上、０．１５以下である、前記＜１３＞に記載の吸収性物品。＜１５＞  前記吸収層において、前記中間部に含有される単位面積当たりの冷感剤量（Ｍ１��の、前方部に含有される単位面積当たりの冷感剤量（Ｍ２）又は後方部に含有される単位面積当たりの冷感剤量（Ｍ３）に対する比（Ｍ１／Ｍ２）又は（Ｍ１／Ｍ３）が、１．０以上、好ましくは１．１０以上、更に好ましくは１．１５以上であり、また、２．０以下、好ましくは１．９以下、更に好ましくは１．８以下である、前記＜１＞〜＜１４＞のいずれか１に記載の吸収性物品。＜１６＞  前記低冷感領域の肌側面に含有される単位面積当たりの冷感剤量（Ｍ４）の、前記低冷感領域の非肌側面に含有される単位面積当たりの冷感剤量（Ｍ７）に対する比（Ｍ４／Ｍ７）は、１．１以上、好ましくは１．３以上、更に好ましくは１．５以上であり、また、３．０以下、好ましくは２．７以下、更に好ましくは２．５以下である、前記＜１＞〜＜１５＞のいずれか１に記載の吸収性物品。＜１７＞  前記吸収層の肌当接面側に表面層を備え、前記表面層と前記吸収層との間に、前記低冷感領域と平面視重なる領域に中間繊維層を備える、前記＜１＞〜＜１６＞のいずれか１に記載の吸収性物品。＜１８＞  前記中間繊維層と前記吸収層とは接着剤で接合されており、該吸収層の肌側面の面積に占める前記接着剤の塗工面積の割合は、２０％以下、好ましくは１５％以下であり、更に好ましくは１０％以下である、前記＜１７＞に記載の吸収性物品。＜１９＞  前記中間繊維層と前記吸収層とは接着剤で接合されており、中間部における吸収層幅に対する該接着剤の塗工幅の割合は、４５％以上、好ましくは６０％以上、更に好ましくは７５％以上である、前記＜１７＞又は＜１８＞に記載の吸収性物品。＜２０＞  前記表面層の肌当接面側の両側に、該表面層より通気性が小さいサイドシートが積層されている、前記＜１７＞〜＜１９＞のいずれか１に記載の吸収性物品。＜２１＞  前記吸収層の幅方向外方に延出したウイング部を備えている、前記＜１＞〜＜２０＞のいずれか１に記載の吸収性物品。＜２２＞  生理用ナプキンである、前記＜１＞〜＜２１＞のいずれか１に記載に吸収性物品。
【実施例】
【００６９】  以下、本発明を実施例に基づきさらに詳細に説明するが、本発明はこれに限定されるものではない。【００７０】  図５に示す構造の生理用ナプキンにおいて、本体吸収性シートを、縦方向長さを１８０ｍｍ、幅方向長さを７５ｍｍとなるよう作成し、中央吸収性シートを、縦方向長さを９０ｍｍ、幅方向長さを３５ｍｍとなるよう作成した。吸収層の本体吸収性シートの肌当接面側全長（１８０ｍｍ）に亘って、メントール５．２ｍｇ、乳酸メンチル５２ｍｇとなるように冷感剤を塗工し、気密性の容器内へ納入した状態で、室温（２３℃）で３週間静置した。この吸収層を中央吸収性シートの幅方向長さの範囲における、前方部、中間部及び後方部において、単位面積当たりの全冷感剤量（吸収層の厚み全体における冷感剤量、Ｍ１〜Ｍ３）並びに、肌側に位置する本体吸収性シート及び中央吸収性シートの単位面積当たりの冷感剤量（Ｍ４〜Ｍ６）を測定した。  なお、吸収層については、本体吸収性シートと中央吸収性シートとして、特許２９６３６４７号の実施例２に準じて作成した。ただし、架橋処理パルプとしてWeyerhauser Paper社製のHigh Bulk Additive ＨＢＡを、高吸収性ポリマーとして日本触媒社製のアクアリックＣＡを用いた。【００７１】  実施例の生理用ナプキンにおいて測定した、中央吸収性シートが存在する幅方向長さの範囲における、単位面積当たりの乳酸メンチル量（Ｍ４〜Ｍ６）は以下の通りであった。肌側の本体吸収性シート（肌側吸収性シートであり、吸収層の肌側面）では、前方部及び後方部で３．５ｇ／ｍ２（Ｍ５、Ｍ６）、中間部では２．９ｇ／ｍ２（Ｍ４）であった。また、中間部に位置する中央吸収性シートでは４．０ｇ／ｍ２であった。  一方、中央吸収性シートが存在する幅方向長さの範囲における、吸収層の厚み全体に亘る単位面積当たりの全乳酸メンチル量（Ｍ１〜Ｍ３）は以下の通りであった。前方部及び後方部で６．８ｇ／ｍ２（Ｍ２、Ｍ３）、中間部で８．２ｇ／ｍ２（Ｍ１）であった。【００７２】  本実施例では、吸収層全長に亘って均一量の冷感剤を塗布したものであるが、中央吸収性シートが存在することによって、前方部及び後方部から冷感剤が中央吸収性シートへと移行して、吸収層の厚み全体においては中間部の冷感剤量が前方部及び後方部の冷感剤量よりも多くなったものと推察される。また同時に、吸収層の肌当接面側に塗工された冷感剤が厚み方向に浸透・拡散し、中間部において前方部及び後方部よりも肌当接面側の単位面積当たりの冷感剤量が少なくなったものと推察される。したがって、本実施例の生理用ナプキンの製造方法では、吸収層全長に亘って均一量の冷感剤を塗工しても、本発明の構成を実現できるものであり、製造の容易さという観点からも優れたものと言える。  もちろん、これに代えて、吸収層の肌当接面側に、中間部よりも前方部及び後方部に冷感剤を多く塗工する工程と、吸収層の非肌当接面側に冷感剤を塗工する工程を個別に行うことで、中間部の冷感剤量を前方部及び後方部の冷感剤量以上とし、かつ、吸収層の肌当接面側において、中間部の単位面積当たりの冷感剤量を、前方部及び後方部よりも少なく配することも可能である。【００７３】  本発明をその実施形態および実施例とともに説明したが、我��は特に指定しない限り我々の発明を説明のどの細部においても限定しようとするものではなく、添付の請求の範囲に示した発明の精神と範囲に反することなく幅広く解釈されるべきであると考える。
【符号の説明】
【００７４】１  表面層２  裏面層３  吸収層３１  本体吸収性シート３１Ａ  肌側吸収性シート３１Ｂ  非肌側吸収性シート３２  中央吸収性シート３３  高坪量部３４  低冷感領域３４Ａ  低冷感領域の肌側面３４Ｂ  低冷感領域の非肌側面４  中間繊維層５  サイドシート６  ウイング部１０  生理用ナプキン
【要約】縦方向（Ｙ方向）とこれに直交する幅方向（Ｘ方向）とを有し、吸収層（３）を具備する吸収性物品であって、縦方向に沿って、着用者の排泄部と対向する受液領域（Ｃ１）を含む中間部（Ｃ）と、その両端側に位置する前方部（Ｆ）と後方部（Ｒ）とを有し、吸収層（３）は、前方部（Ｆ）から後方部Ｒに亘って冷感剤を含有し、吸収層（３）に含有される単位面積当たりの冷感剤量が、中間部（Ｃ）において、前方部（Ｆ）及び後方部（Ｒ）と同じ又は前方部（Ｆ）及び後方部（Ｒ）より多くされ、中間部（Ｃ）には、吸収層（３）の肌側面（３Ａ）に含有される単位面積当たりの冷感剤量が前方部（Ｆ）及び後方部（Ｒ）より少ない低冷感領域（３４）を有する、吸収性物品。【図１】
0006452907.tif 000002
【図２】
0006452907.tif 000003
【図３】
0006452907.tif 000004
【図４】
0006452907.tif 000005
【図５】
0006452907.tif 000006
【図６】
0006452907.tif 000007